(57)【特許請求の範囲】
【請求項１】
弦の振動を空気振動に変換する響板の何れかの面、もしくは何れかの面が響板に接する響棒の他の面に、平坦な面を具備する脚部を備えると共に高さ方向に弾性変形可能な音質調整部材の当該平坦な面を圧接させ、
当該音質調整部材を、以下の（１）及び（２）から選択される何れか１以上の場所に挟み込ませて、簡易に取り外すことができる状態で設置し、
以下の（１）及び（２）から選択される何れか１以上の場所に挟み込まれた音質調整部材は、もとの形状に戻るときの弾性変形により、その脚部の平坦な面が響板又は響棒を強く押し付けて当該響板又は響棒に圧接し、少なくとも響板又は響棒の振動を抑えることを特徴とする、ピアノの音質を変更するピアノ音質変更方法。
（１）前記響板、望ましくは響板における下面に響棒が存在する領域と、複数のチューニングピンが設けられたフレームとの間
（２）前記響板の裏側に接する響棒と、支柱との間
【請求項２】
少なくとも響板（望ましくは響板における下面に響棒が存在する領域）と、複数のチューニングピンが設けられたフレームとの間、又は響板の裏側に接する響棒と、支柱との間に設置され、当該設置場所における響板とフレームとの間又は響棒と支柱との間の間隔と同じかそれ以上の高さを有すると共に、高さ方向に弾性変形可能であって、且つ響板又は響棒に圧接する側に存在する脚部の端面が平坦に形成されていることを特徴とする、ピアノの音質調整部材。
【請求項３】
脚部の他端側には頭部が形成されており、全体として、
脚部と頭部との間にコルクその他の弾性部材を配置した柱状であるか、又は
平板部材の下面に１又は２以上の脚部を設けると共に、当該平板部材の上面に頭部を立設してなる形状である、請求項２に記載の音質調整部材。
【請求項４】
請求項２又は３に記載のピアノの音質調整部材を、以下の（１）及び（２）から選択される何れか１又は２以上の場所に挟み込ませて設置したことを特徴とするピアノ。
（１）前記響板（望ましくは響板における下面に響棒が存在する領域）と、複数のチューニングピンが設けられたフレームとの間
（２）前記響板の裏側に接する響棒と、前記支柱との間
【発明の詳細な説明】
【技術分野】
【０００１】
本発明はピアノにおける音質を変更する為の方法と、それに使用するピアノの音質調整部材に関し、特に既存のピアノにおける響板の響き具合を調整することにより、ピアノの音質を変更するようにしたピアノ音質変更方法とピアノの音質調整部材、並びにピアノに関する。
【背景技術】
【０００２】
ピアノは打鍵によってハンマーを動作させて弦を打ち、打たれた弦で発生する振動を、駒を介して広い面を持った響板に伝え、この響板における空気振動を生じさせることにより、耳に聞こえる音を発する構造になっている。
【０００３】
かかるピアノの構成において、響板は最終的な音（ピアノ音）を発生させるものであることから、その材質、構造、支柱への取付構造等の良否がピアノの音質、音量等、言い換えれば音響特性を決定するといっても過言ではない。
【０００４】
この響板は、一般には、スプルスなどの無垢板や合板などの木質板で構成されており、その表面には振動を伝える駒が設けられ、裏面には響板に伝えられた振動を響板全体に拡げるための響棒が設けられている。
【０００５】
そして従前においてピアノの音響効果を改善する為に種々の提案がされており、響板についての改良も提案されている。
例えば特許文献１（実開平０５−０５９４９６号公報）では、ピアノの音質に大きな影響を及ぼすピアノ響板に、Ｖ字型の溝を施す事により、さらなるピアノの音質改善（音のたちあがりが良く、倍音成分を多く含む為にさらなる音の広がりが得られ、音の延びも良くなる。）を行うことが提案されている。
【０００６】
また特許文献２（特開平０７−２７１３４９号公報）では、ビブラート効果を与えることができ、演奏の幅を広げることができるアコースティックピアノを得るべく、響板から外部に放射される楽音を繰り返し遮ることができる手段からなるアコースティックピアノのビブラート機構が提案されている。即ち、この特許文献２では、響板を装着した張弦フレームの上方に響板の外周形状に合わせた外周形状のスリット板を配設しており、このスリット板によって、響板から放音される楽音の遮蔽／放射を行うことで、楽音を振幅変調し、ビブラート効果を付与することが提案されている。
【０００７】
そして特許文献３（特開平０８−０３０２６４号公報）では、ピアノ内部とピアノ背面側外部とを連絡する貫通孔を設けることにより、簡単な構成で、音響的効果を調整することが提案されている。即ち、この特許文献３では、響板を備えたピアノにおける製造時の音響的調整が、貫通孔を開けたり、形や直径の調整を行うという容易な作業であることから製造コストも有利であり、また響板に貫通孔を開けるだけなので、従来のピアノの設計変更をほとんどしなくても実現できることが提案されている。
【先行技術文献】
【特許文献】
【０００８】
【特許文献１】実開平０５−０５９４９６号公報
【特許文献２】特開平０７−２７１３４９号公報
【特許文献３】特開平０８−０３０２６４号公報
【発明の概要】
【発明が解決しようとする課題】
【０００９】
上記のとおり、響板は実際にピアノ音を発生させるものであることから、ピアノの音響特性を決定する上では、この響板の材質、構造、形状、支柱への取付構造等は重要である。
そこで従前においては、響板の全体形状も予め最良の音を発することができるように設計しているものの、その形状について、自ずと制約を受けるものとなっている。例えばグランドピアノでは、グランドピアノの外周を形成する側板の形状により、その平面の輪郭形状が定まってしまっていた為である。
【００１０】
そこで本発明では、このような側板の形状とは別に響板の特性を変更できるようにしたピアノ音質変更方法とピアノの音質調整部材及びこれを設置したピアノを提供することを第一の課題とする。
【００１１】
また、従来のピアノでは、最初に設計したとおりに響板を形成した後においては、当該響板の音響特性を変更することができず、また長年の使用により音響特性が変化した場合であっても、当該響板自体を交換しなければ、その音響特性を修正することができなかった。
【００１２】
そこで本発明では、既存のピアノにおける響板の音響特性を調整できるようにしたピアノ音質変更方法とピアノの音質調整部材及びこれを設置したピアノを提供することを第二の課題とする。
【００１３】
更に響板の音響特性を変更する為に、響板に孔をあけることも提案されているが、いったん穴をあけてしまうと、その後に元に戻すことができなくなってしまう。そこで本発明では、簡単に復元できるようにしたピアノ音質変更方法とピアノの音質調整部材及びこれを設置したピアノを提供することを第三の課題とする。
【課題を解決するための手段】
【００１４】
上記課題を解決する為に、本発明では響板又は響棒の振動を抑え、望ましくは響板又は響棒の振動をフレームに伝えることのできる部材を、響板又は響棒に接触させて設置する方法と、その為の部材を提供するものである。
【００１５】
即ち本発明では、弦の振動を空気振動に変換する響板の何れかの面、もしくは何れかの面が響板に接する響棒の他の面に、平坦な面を具備する脚部を備えた音質調整部材の当該平坦な面を圧接させ、少なくとも響板又は響棒の振動を部分的に抑えて響板の音響特性を変えるピアノの音質を変更するピアノ音質変更方法を提供する。
【００１６】
かかるピアノ音質変更方法に使用する音質調整部材は、前記課題の少なくともいずれかを解決するものであり、響板又は響棒に接する面が平坦に形成された脚部を具備しており、例えば、以下の様に形成することができる。
【００１７】
即ち、少なくとも響板（望ましくは響板における下面に響棒が存在する領域）と、複数のチューニングピンが設けられたフレームとの間、又は響板の裏側に接する響棒と、支柱との間に設置され、当該設置場所における響板とフレームとの間又は響棒と支柱との間の間隔と同じか、それ以上の高さを有すると共に、高さ方向に弾性変形可能であって、且つ響板又は響棒に圧接する側に存在する脚部の端面が平坦に形成されているピアノの音質調整部材として形成することができる。
【００１８】
このピアノの音質調整部材は、響板又は響棒に接する側に脚部が形成されており、その端面、即ち響板又は響棒に接する面は平坦に形成されることが必要である。これは響板や響棒を抑え込むためであり、凹凸のある面ではこれら響板や響棒との接触が点接触になってしまい、効果的に振動を抑えることができないためである。ただし、この響板や響棒と接触する脚部端面の面積は、響板や響棒の振動を抑える領域の面積に応じて適宜調整することができ、またその平面形状も円形、楕円形、矩形、多角形など適宜調整することができる。
【００１９】
また、上記ピアノの音質調整部材は、脚部の他端側には頭部が形成されており、全体として、脚部と頭部との間にコルクその他の弾性部材を配置した柱状であるか、又は平板部材の下面に１又は２以上の脚部を設けると共に、当該平板部材の上面に頭部を立設してなる形状に形成することができる。
【００２０】
この音質調整部材は、響板や響棒の振動を抑えたり、または此れらの振動をフレームや支柱に伝えるものであることから、木材などの天然樹脂や、これらの機能を担保する程度の硬さを有する合成樹脂、あるいは金属などを使用して形成することができ、これらの部材を適宜組み合わせて構成することもできる。
【００２１】
上記の音質調整部材を、響板とフレームとの間、響板と支柱との間、及び響棒と支柱との間の少なくとも何れか１又は２以上の場所に挟み込むようにして設置することにより、響板や響棒の振動を抑えることができ、これにより響板や響棒における発音領域を任意に調整することができる。その結果、この音質調整部材の設置場所やその接触面積等を任意に調整することにより、所望の音質を発することができるように調整可能となる。
【００２２】
また、響板や響棒を圧して押さえる音質調整部材は、これら響板や響棒の振動を、金属で形成されたフレームや支柱に伝える。そしてこの振動が伝えられた金属フレームや支柱は質量が大きいことから、伝えられた振動を長時間持続することができる。これにより、金属フレームや支柱の振動を、音質調整部材を介して響板や響棒に循環させることができ、これにより奥行きのある音を発生させることができる。即ち、この音質調整部材を使用することにより、響板だけの振動ではなく、響板と金属フレーム、又は響板と響棒と支柱とが一体となって音を発することができる。
【００２３】
上記のとおり、本発明に係る音質調整部材を使用することにより、ピアノの音響特性を任意に調整することができることから、上記本発明にかかるピアノ音質変更方法においては、前記音質調整部材を、以下の（１）及び（２）から選択される何れか１以上の場所に挟み込ませて設置するピアノ音質変更方法とすることができる。
（１）前記響板、望ましくは響板における下面に響棒が存在する領域と、複数のチューニングピンが設けられたフレームとの間
（２）前記響板の裏側に接する響棒と、前記支柱との間
【００２４】
かかるピアノ音質変更方法において、音質調整部材は響板とフレームとの間に複数設けたり、響板とフレームとの間及び響板と支柱の間、あるいは響板とフレームとの間及び響棒と支柱の間等に複数設けることができる。
【００２５】
また、このピアノ音質変更方法で使用する音質調整部材は、その高さ方向に弾性変形可能なものを使用することが望ましい。弾性変形可能なものを使用することにより、上記（１）及び（２）の間に音質調整部材を押し込むことにより、当該音質調整部材がもとの形状に戻るときの弾性変形により、その脚部の端面は、響板又は響棒を強く押し付けるようにして、当該響板又は響棒に圧接ことができる。また音質調整部材が高さ方向に弾性変形可能であることにより、乾燥等による響板のソリの変化にも対応することができる。
【００２６】
よって本発明に係る音質調整部材では、脚部の他端側には頭部が形成されており、全体として、脚部と頭部との間にコルクその他の弾性部材を配置した柱状であるか、又は平板部材の下面に１又は２以上の脚部を設けると共に、当該平板部材の上面に頭部を立設してなる形状に形成することが望ましい。
【００２７】
そして本発明では、前記課題の少なくともいずれかを解決する為に、上記音質調整部材を設置したピアノを提供する。即ち、上記した本発明に係るピアノの音質調整部材を、以下の（１）及び（２）から選択される何れか１以上の場所に挟み込ませて設置したことを特徴とするピアノである。
（１）前記響板、望ましくは響板における下面に響棒が存在する領域と、複数のチューニングピンが設けられたフレームとの間
（２）前記響板の裏側に接する響棒と、前記支柱との間
【００２８】
かかるピアノは、響板を具備するピアノであればよく、アップライトピアノやグランドピアノ等のアコースティックピアノのほか、響板を利用して音を生じさせるように構成した電子ピアノにおいても実施することができる。
【発明の効果】
【００２９】
上記本発明に係るピアノ音質変更方法によれば、弦の振動を空気振動に変換する響板の何れかの面、もしくは何れかの面が響板に接する響棒の他の面に、平坦な面を具備する脚部を備えた音質調整部材の当該平坦な面を圧接させることにより、少なくとも響板又は響棒の振動を抑え、また響板や響棒と金属フレームや支柱との間で振動を循環させることができるのであるから、簡易な部品及び方法により、ピアノの音響特性を変更または改善することができる。
【００３０】
また、この音質調整部材を、（１）前記響板、望ましくは響板における下面に響棒が存在する領域と、複数のチューニングピンが設けられたフレームとの間、及び（２）前記響板の裏側に接する響棒と、前記支柱との間から選択される何れか１以上の場所に挟み込ませて設置することにより、響板又は響棒を確実に押圧することができ、またこれら響板又は響棒の振動を金属製のフレームや支柱に伝えてこれらを振動させ、その振動により響板や響棒を振動させることができるようになるため、その音響効果を一層改善または変更することができる。
【００３１】
そして本発明に係る音質調整部材は、少なくとも（１）前記響板（望ましくは響板における下面に響棒が存在する領域）と、複数のチューニングピンが設けられたフレームとの間、及び（２）前記響板の裏側に接する響棒と、前記支柱との間から選択される何れかの設置場所における響板とフレームとの間又は響棒と支柱との間の間隔と同じかそれ以上の高さを有すると共に、高さ方向に弾性変形可能であって、且つ響板又は響棒に圧接する側に存在する脚部の端面が平坦に形成されていることから、簡易な構造であり、且つ設置が容易であって、そしてピアノの響板を切ったり、孔を開けたり、更には部品を接着するなどの大幅な変更を行うことなく、響板の音響特性、更にはピアノ全体の音響効果を改善することができる。特に、このような音質調整部材を使用することにより、後から当該音質調整部材を取り外すことにより、これを設置する前の状態に戻すこともできる。
【００３２】
また、この音質調整部材を、脚部の他端側には頭部が形成されており、全体として、脚部と頭部との間にコルクその他の弾性部材を配置した柱状であるか、又は平板部材の下面に１又は２以上の脚部を設けると共に、当該平板部材の上面に頭部を立設してなる形状に形成することにより、各音質調整部材は小さいモジュールとすることができ、これにより設置する場所に合わせて、必要な分だけ複数設置することができる。
【００３３】
そして、上記本発明に係るピアノの音質調整部材を、（１）前記響板（望ましくは響板における下面に響棒が存在する領域）と、複数のチューニングピンが設けられたフレームとの間、（２）前記響板と、前記フレームが取り付けられる支柱との間、および（３）前記響板の裏側に接する響棒と、前記支柱との間から選択される何れか１又は２以上の場所に挟み込ませて設置したピアノとすることにより、長年の使用により音響効果が変化した場合であっても、簡易に初期の音に調整することができ、また当初から奏者にとって好ましくない音質を好みの音が生じるように調整したピアノとすることができる。
【図面の簡単な説明】
【００３４】
【図１】本実施の形態に係るピアノの響板周りの分解図である。
【図２】ピアノの要部縦断面図である。
【図３】本実施の形態に係る音質調整部材を示す（Ａ）斜視図、（Ｂ）縦断面図である。
【図４】他の実施の形態に係る音質調整部材を示す（Ａ）斜視図、（Ｂ）側面図である。
【図５】他の実施の形態に係るピアノを示す（Ａ）背面図、（Ｂ）縦断面面図である。
【発明を実施するための形態】
【００３５】
以下、図面を参照しながら実施の形態にかかるピアノ１０音質変更方法と、これに使用する音質調整部材２０、および当該音質調整部材２０を設置したピアノ１０を説明する。図１は本実施の形態に係るピアノ１０の響板１６周りの分解図であり、図２はピアノ１０の要部縦断面図であり、図３は本実施の形態に係る音質調整部材２０を示す（Ａ）斜視図、（Ｂ）縦断面図であり、図４は他の実施の形態に係る音質調整部材２０を示す（Ａ）斜視図、（Ｂ）側面図であり、図５は他の実施の形態に係るピアノ１０を示す（Ａ）背面図、（Ｂ）縦断面面図である。
【００３６】
図１及び２は、グランドピアノ１０に音質調整部材２０を設置した例を示しており、この実施の形態において、当該音質調整部材２０は、響板１６と金属フレーム１１との間に設置している。図１は、グランドピアノ１０における、積揚１７および響板１６などから成るバック組立品１９と金属製フレーム１１とを分解した状態を示しており、このバック組立品１９は、一体に組み立てられた積揚１７と、積揚１７の内側に設けられた支柱（図示せず）と、奥框１８と、これらの上面を覆うように接着された響板１６などで構成されている。響板１６には、その表面に長駒１５および短駒１４が、裏面に複数の響棒１３があらかじめ取り付けられているとともに、響板１６を響棒１３の取付前に強制乾燥させ、取付後に常態で放置することによって、響棒１３の拘束により表面側が盛り上がることで、ムクリ（クラウン）があらかじめ形成されている。また、長駒１５および短駒１４は、所定の厚さを有するとともに、それらの上面への駒突きおよび駒ピン打ちまでを完了した単体加工済みのものであり、そのような単体加工がなされた後、響板１６の表面に接着されている。そして金属製フレーム１１は、響板１６の上面に設けられたダボ穴１２ａに嵌入されたダボ１２ｂに対してネジなどによって固定されることになる。
【００３７】
かかるグランドピアノ１０を組み立てた状態を図２に示す。図２はグランドピアノ１０の部分断面図である。この図において、響板１６の下面には、斜めに複数本の響棒１３が接着剤で固定されている。響板１６の上面には弦（図示せず）からの振動を響板１６に伝える長駒１５と短駒１４とが接着剤で固定されている。そして音質調整部材２０は響板１６と金属製フレーム１１との間に圧入されている。
【００３８】
そしてこのように形成されたピアノ１０の響板１６の周りの構成において、響板１６と金属フレーム１１との間には音質調整部材２０を嵌め込んで設けている。この音質調整部材２０は、その下端側の脚部２２を響板１６における裏面に響棒１３が設けられた領域に設置し、またその上端の頭部２１を金属製フレーム１１の下面に接するように配置している。この設置に際して、脚部２２の底面を響板１６に、及び／又は頭部２１の上端面を金属製フレーム１１に接着などにより固定することも考えられるが、接着剤による響板１６の変形や音質効果の変化を考慮し、当該音質調整部材２０は弾性変形による復元力により、この響板１６と金属フレーム１１との間に挟み込んで固定する、即ち嵌入して固定することが望ましい。
【００３９】
図３は上記の響板１６に接して設置することのできる音質調整部材２０を示しており、（Ａ）は斜視図、（Ｂ）は縦断面図をそれぞれ示している。この図に示すように、基本的な音質調整部材２０の構成は、円柱形状であって上面の中央に穴２５を形成した脚部２２と、この脚部２２の穴２５に嵌入される頭部２１とで構成されており、両者は木材を用いて形成されている。特にこの脚部２２と頭部２１とは木材の他、金属、ガラス、プラスチックなどの各種の材料を用いて製造することができるが、少なくとも脚部２２の底面、望ましくは脚部２２の底面と頭部２１の上面は、木材を用いて形成される。これは振動伝播を効率的に実現し、響板１６表面の損傷を防止する為である。
【００４０】
脚部２２の底面は、響板１６に面接触するように平坦な面として形成されており、頭部２１の上端も響板１６金属フレーム１１又は支柱に面接触するように平坦な面として形成されている。そして、脚部２２の上面に設けられた穴２５の底には、この音質調整部材２０の弾性変形を実現する為のコルク２３が収容され、頭部２１の下面にもコルク２３が接合されている。ただし、この弾性変形を実現する為のコルクは、脚部２２の穴２５の底又は頭部２１の下面の何れか一方だけであっても良い。このように頭部２１の下面と脚部２２における穴２５の底面との間にはコルク２３が存在するように構成している事から、その高さ方向に縮めるような力を加えることにより、このコルク２３が弾性変形し、この音質調整部材２０の高さを短くすることができる。そして、このように短くした状態で、響板１６と金属製フレーム１１との間に収容することで、コルク２３の弾性変形により復元した状態においては、この音質調整部材２０は響板１６とフレーム１１をその間隔を広げる向きに両部材を圧することになる。これにより、響板１６の振動は金属製フレーム１１に圧着された音質調整部材２０によって押さえられることになる。これと同時に響板１６の振動を受けた音質調整部材２０は、その振動を金属製フレーム１１に伝え、金属製フレーム１１自体を振動させる。この金属製フレーム１１の振動は音質調整部材２０を介して響板１６に伝えられ、より長い間、響板１６の響きを持続することができるようになる。なお、脚部２２の中心に形成された穴２５の内周面には、フェルト等の布帛２４を張り合わせ、脚部２２と頭部２１との間における振動による異音（ビビリ音など）が発生しない様にしている。
【００４１】
またこの図３に示す実施の形態では、脚部２２の底面、即ち響板１６との接触面の面積を、頭部２１の上面、即ち金属製フレーム１１との接触面の面積よりも大きくしているが、これは響板１６をより確実に抑えつけて、その振動を阻止するためである。ただし此れに限らず、脚部２２の底面と頭部２１の上面とを同じ面積にしたり、頭部２１の上面を脚部２２の底面よりも大きな面積に形成したりすることもできる。更に、脚部２２の底面と頭部２１の上面の平面形状を、本実施の形態では円形に形成しているが、此れに限らず楕円形や三角形その他の多角形状等、様々な形状に形成することができる。
【００４２】
そして図４は他の実施の形態に係る音質調整部材２０を示す斜視図、（Ｂ）は側面図をそれぞれ示しており、この図に示す音質調整部材２０も、上記音質調整部材２０と同じように、響板１６と金属製フレーム１１との間に嵌入することができる。
【００４３】
この実施の形態に示す音質調整部材２０は、同一平面内の３方向に突起した部分を有するプレート状の胴部２６と、この胴部２６の上面の中心に立設して一体化される円柱状の頭部２１と、胴部２６の突起した先端部分の下面に、当該先端部分と同じ形状で下方に突起する脚部２２とで構成されている。この胴部２６に対する頭部２１及び脚部２２の接合は接着剤によって固定する他、ネジなどを用いて固定することもできる。かかる実施形態における音質調整部材２０において、脚部２２底面の総面積は、頭部２１上端の面積よりも大きく形成しており、これにより響板１６を確実に抑えると共に、金属製フレーム１１との振動により生じる異音（ビビリ音）を減じることができる。
【００４４】
このように形成した音質調整部材２０においては、この平板状の胴部２６における曲げ弾性により、響板１６と金属製フレーム１１との間における弾性変形（復元力）を確保することができる。よって、係る構成において、頭部２１及び脚部２２は木材を使用して形成し、この胴部２６は木材、合成樹脂、又は金属などを用いて形成することができる。また胴部２６の平面形状は、この実施の形態に示すように同一平面の三方向に突起するように形成することにより、設置時におけるガタつきを抑止することができるが、四角形その他の多角形等、その他の形状であってもよい。
【００４５】
図５は、他の実施の形態に係るピアノ３０（アップライトピアノ３０）に設置した状態を示しており、（Ａ）背面図、（Ｂ）縦断面図である。
【００４６】
この図に示すように、アップライトピアノ３０における矩形の板状に形成された響板３８上には、斜めに７本の響棒４０が接着剤で固定されている。この響棒４０は、木理方向と直交する方向に長く延在し、弦の振動を木理方向と直交する方向に伝達する機能と、響板３８の強度部材としての機能を有している。この響棒４０は低音側の間隔が高音側の間隔よりも、約１．５倍に広げられ、その間の響棒４０の間隔は、高音側から低音側に向かって順次広げられている。響板３８の表面には弦（図示せず）からの振動を響板３８に伝える長駒３７と短駒３５とが接着剤で固定されている。これらの長駒３７と短駒３５は、響板３８の木理方向に延在するように接合されている。また響板３８の周囲には、支柱３３と、この支柱３３に設けられた手掛３４と、桁貼３１と、土台３６と、屋根４１および親板３２とが配置されている。また桁貼３１の内部には、水平に２本の桁３９が配置されている。
【００４７】
支柱３３、土台３６および桁３９は、図５のごとく組み立てられ、相互の当接面で接着されて一体化されている。勿論、正面側には、図示しないがピアノ３０の機能として必要な鍵盤を始めとするペダルやアクション機構が設けられている。
【００４８】
このピアノ３０においても響板３８と金属製フレーム４５との間に、上記したような音質調整部材２０を嵌入することにより、響板３８の振動を抑えながらも、この響板３８の振動を金属製フレーム４５に伝達し、これによりピアノ３０の音質改善を図ることができる。
【００４９】
なお、上記実施の形態では、音質調整部材２０を響板３８と金属フレーム４５との間に設置した例を示したが、その他にも、響板３８の裏面と支柱３３との間、あるいは響棒４０と支柱３３との間にも設置することができる。
【産業上の利用可能性】
【００５０】
本発明に係るピアノ音質変更方法とピアノの音質調整部材、並びにピアノによれば、既存のピアノにおける音色の改善を簡易に実施することができ、長年の使用により音色が変化したピアノの調律のみならず、新たに製造されるピアノの音質改善に利用することができる。
【００５１】
更に、音質調整部材は簡易に取り外すことができるのであるから、ピアノ調律の場面や、様々な演奏会において、更にはピアノの製造現場において広範囲に利用することができる。
【符号の説明】
【００５２】
１０（３０）：ピアノ，  １１（４５）：金属フレーム，  １２ａ：ダボ穴，  １２ｂ：ダボ，  １３（４０）：響棒，  １４（３５）：短駒，  １５（３７）：長駒，  １６（３８）：響板，  １７：積揚，  １８：奥框，  １９：バック組立品，  ２０：音質調整部材，  ２１：頭部，  ２２：脚部，  ２３：コルク，  ２４：布帛，  ２５：穴，  ２６：胴部，  ３１：桁貼，  ３２：親板，  ３３：支柱，  ３４：手掛，  ３６：土台，  ３９：桁，  ４１：屋根
【図１】
0005231602.tif 000002
【図２】
0005231602.tif 000003
【図３】
0005231602.tif 000004
【図４】
0005231602.tif 000005
【図５】
0005231602.tif 000006